(57)【要約】【課題】アナログ放送、デジタル放送の両方の信号を受信する場合において、小型化サイズの音声受信用チューナが実現できなかった。【解決手段】混合器２５と第１のＡＭ用フィルタ２７の間には、前記混合器２５に接続されるとともに前記第１のＡＭ用フィルタ２７の帯域幅を含む広い帯域幅を有する第２のＡＭ用フィルタ３４と、この第２のＡＭ用フィルタ３４の出力に接続された第１のＡＭ用増幅器３５を挿入し、前記第２のＡＭ用フィルタ３４と前記第１のＡＭ用増幅器３５との接続点から第２のＡＭ用増幅器３６を介してＡＭ用デジタル出力端子３７に接続した構成としたものである。  これにより、所期の目的を達成することができる。【選択図】図１
2006074428.tif 000002
【特許請求の範囲】
【請求項１】
デジタル放送波とこのデジタル放送波に挟まれたアナログ放送波が入力されるＡＭ用入力端子と、このＡＭ用入力端子に接続された入力フィルタと、この入力フィルタの出力が接続された高周波増幅器と、この高周波増幅器の出力が一方の入力に供給されるとともに他方の入力にはＡＭ用発振器の出力が接続された混合器と、この混合器の出力が供給される第１のＡＭ用フィルタと、この第１のＡＭ用フィルタの出力が接続されたＡＭ用検波器と、このＡＭ用検波器の出力が接続されたマルチプレックスと、このマルチプレックスの出力が接続されたＡＭ用アナログ出力端子とを備え、前記混合器と前記第１のＡＭ用フィルタの間には、前記混合器に接続されるとともに前記第１のＡＭ用フィルタの帯域幅を含む広い帯域幅を有する第２のＡＭ用フィルタと、この第２のＡＭ用フィルタの出力に接続された第１のＡＭ用増幅器を挿入し、前記第２のＡＭ用フィルタと前記第１のＡＭ用増幅器との接続点から第２のＡＭ用増幅器を介してＡＭ用デジタル出力端子に接続した音声受信用チューナ。
【請求項２】
第１のＡＭ用フィルタの帯域幅は選択されたアナログ放送波のみが通過する帯域幅とし、第２のＡＭ用フィルタの帯域幅は選択されたデジタル放送波が通過する帯域幅とした請求項１に記載の音声受信用チューナ。
【請求項３】
第２のＡＭ用増幅器は、ＡＭ用デジタル出力端子に近接して配置された請求項１に記載の音声受信用チューナ。
【請求項４】
ＡＭ用発振器にＡＭ用ＰＬＬ回路を接続するとともに、このＡＭ用ＰＬＬ回路により、第１、第２のＡＭ用増幅器への印加電圧を選択的に印加する請求項１に記載の音声受信用チューナ。
【請求項５】
請求項１に記載の音声受信用チューナにおいて、ＡＭ用デジタル出力端子には、ＡＤコンバータと、デジタル信号処理回路と、ＤＡコンバータと、マルチプレックスと、デジタルオーディオ出力端子とがこの順に接続された音声受信装置。
【請求項６】
デジタル放送波とこのデジタル放送波に挟まれたアナログ放送波が入力されるＡＭ用入力端子と、このＡＭ用入力端子に接続された入力フィルタと、この入力フィルタの出力が接続された高周波増幅器と、この高周波増幅器の出力が一方の入力に供給されるとともに他方の入力にはＡＭ用発振器の出力が接続された混合器と、この混合器の出力が供給される第１のＡＭ用フィルタと、この第１のＡＭ用フィルタの出力が接続されたＡＭ用検波器と、このＡＭ用検波器の出力が一方の入力端子に接続された切替えスイッチと、この切替えスイッチの共通端子が接続されたマルチプレックスと、このマルチプレックスの出力が接続されたオーディオ出力端子とを備え、前記混合器と前記第１のＡＭ用フィルタの間には、前記混合器に接続されるとともに前記第１のＡＭ用フィルタの帯域幅を含む広い帯域幅を有する第２のＡＭ用フィルタと、この第２のＡＭ用フィルタの出力に接続された第１のＡＭ用増幅器を挿入し、前記第２のＡＭ用フィルタと前記第１のＡＭ用増幅器との接続点から第２のＡＭ用増幅器を介して接続されたＡＭ用デジタル出力端子と、このＡＭ用デジタル出力端子に接続されたＡＤコンバータと、このＡＤコンバータの出力に接続されたデジタル信号処理回路と、このデジタル信号処理回路の出力と前記切替えスイッチの他方の入力端子との間に接続されたＤＡコンバータとを有した音声受信装置。
【請求項７】
ＡＤコンバータと、デジタル信号処理回路と、ＤＡコンバータが、シールド板で、ＡＭ用入力端子からオーディオ出力端子までの回路と高周波的に分離された請求項６に記載の音声受信装置。
【請求項８】
デジタル放送波とこのデジタル放送波に挟まれたアナログ放送波が入力されるＦＭ用入力端子と、このＦＭ用入力端子に接続された入力フィルタと、この入力フィルタの出力が接続された高周波増幅器と、この高周波増幅器の出力が一方の入力に供給されるとともに他方の入力にはＦＭ用発振器の出力が接続された混合器と、この混合器の出力が供給される第１のＦＭ用フィルタと、この第１のＦＭ用フィルタの出力が接続されたＦＭ用検波器と、このＦＭ用検波器の出力が接続されたマルチプレックスと、このマルチプレックスの出力が接続されたＦＭ用アナログ出力端子とを備え、前記混合器と前記第１のＦＭ用フィルタの間には、前記混合器に接続されるとともに前記第１のＦＭ用フィルタの帯域幅を含む広い帯域幅を有する第２のＦＭ用フィルタと、この第２のＦＭ用フィルタの出力に接続された第１のＦＭ用増幅器を挿入し、前記第２のＦＭ用フィルタと前記第１のＦＭ用増幅器との接続点から第２のＦＭ用増幅器を介してＦＭ用デジタル出力端子に接続した音声受信用チューナ。
【請求項９】
第１のＦＭ用フィルタの帯域幅は選択されたアナログ放送波のみが通過する帯域幅とし、第２のＦＭ用フィルタの帯域幅は選択されたデジタル放送波が通過する帯域幅とした請求項８に記載の音声受信用チューナ。
【請求項１０】
第２のＦＭ用増幅器は、ＦＭ用デジタル出力端子に近接して配置された請求項８に記載の音声受信用チューナ。
【請求項１１】
ＦＭ用発振器にＦＭ用ＰＬＬ回路を接続するとともに、このＦＭ用ＰＬＬ回路により、第１、第２のＦＭ用増幅器への印加電圧を選択的に印加する請求項８に記載の音声受信用チューナ。
【請求項１２】
請求項８に記載の音声受信用チューナにおいて、ＦＭ用デジタル出力端子には、ＡＤコンバータと、デジタル信号処理回路と、ＤＡコンバータと、マルチプレックスと、デジタルオーディオ出力端子とがこの順に接続された音声受信装置。
【請求項１３】
デジタル放送波とこのデジタル放送波に挟まれたアナログ放送波が入力されるＦＭ用入力端子と、このＦＭ用入力端子に接続された入力フィルタと、この入力フィルタの出力が接続された高周波増幅器と、この高周波増幅器の出力が一方の入力に供給されるとともに他方の入力にはＦＭ用発振器の出力が接続された混合器と、この混合器の出力が供給される第１のＦＭ用フィルタと、この第１のＦＭ用フィルタの出力が接続されたＦＭ用検波器と、このＦＭ用検波器の出力が一方の入力端子に接続された切替えスイッチと、この切替えスイッチの共通端子が接続されたマルチプレックスと、このマルチプレックスの出力が接続されたオーディオ出力端子とを備え、前記混合器と前記第１のＦＭ用フィルタの間には、前記混合器に接続されるとともに前記第１のＦＭ用フィルタの帯域幅を含む広い帯域幅を有する第２のＦＭ用フィルタと、この第２のＦＭ用フィルタの出力に接続された第１のＦＭ用増幅器を挿入し、前記第２のＦＭ用フィルタと前記第１のＦＭ用増幅器との接続点から第２のＦＭ用増幅器を介して接続されたＦＭ用デジタル出力端子と、このＦＭ用デジタル出力端子に接続されたＡＤコンバータと、このＡＤコンバータの出力に接続されたデジタル信号処理回路と、このデジタル信号処理回路の出力と前記切替えスイッチの他方の入力端子との間に接続されたＤＡコンバータとを有した音声受信装置。
【請求項１４】
ＡＤコンバータと、デジタル信号処理回路と、ＤＡコンバータが、シールド板で、ＦＭ用入力端子からオーディオ出力端子までの回路と高周波的に分離された請求項１３に記載の音声受信装置。
【発明の詳細な説明】
【技術分野】
【０００１】
本発明は、同一チャンネル内にデジタル放送波に挟まれてアナログ放送波が同時に送信される高周波信号を受信する音声受信用チューナとこれを用いた音声受信装置に関するものである。
【背景技術】
【０００２】
従来のＡＭ音声受信用チューナは、図７に示す構成をしていた。すなわち、図７において、ＡＭ音声受信用チューナは、ＡＭ用アンテナ１で受信されたＡＭ音声放送信号が入力されるＡＭ用入力端子２と、このＡＭ用入力端子２に接続された入力フィルタ３と、この入力フィルタ３の出力が接続された高周波増幅器４と、この高周波増幅器４の出力が一方の入力に接続されると共に他方の入力にはＡＭ用発振器６の出力が接続された混合器５と、ＡＭ用発振器６の発振周波数をＰＬＬ制御するとともに入力フィルタ３の中心周波数を制御するＡＭ用ＰＬＬ回路１２と、このＡＭ用ＰＬＬ回路１２を制御するためのＡＭ用データ入力端子１３と、混合器５の出力が接続されたＡＭ用フィルタ７と、このＡＭ用フィルタ７の出力が接続されたＡＭ用検波器８と、このＡＭ用検波器８の出力が接続されたマルチプレックス１０と、このマルチプレックス１０の出力が接続されたＡＭ用アナログ出力端子１１とから構成されていた。
【０００３】
以上のように構成されたＡＭ音声受信用チューナにおいて、以下にその動作を説明する。
【０００４】
ＡＭ用データ入力端子１３から入力されたＡＭ用ＰＬＬ制御データが、ＡＭ用ＰＬＬ回路１２に入力される。ＡＭ用ＰＬＬ制御データにより、前記入力フィルタ３およびＡＭ用発振器６が制御される。従って、入力フィルタ３によって妨害信号が抑圧されるとともにＡＭ用発振器６は所定の周波数を出力することが出来るので、混合器５からは、中間周波数に変換された信号が出力される。
【０００５】
さらにこの信号はＡＭ用検波器８で検波される。この検波された信号は、マルチプレックス１０において復調されたのち、ＡＭ用アナログ出力端子１１からオーディオ信号として出力される。１４は、ＡＭ音声受信用チューナが収納されている金属製のケースである。
【０００６】
以上は、ＡＭ音声受信用チューナを例として説明したが、ＦＭ帯を用いるＦＭ音声受信用チューナについても同様である。何れにしても一つのチューナを用いてＡＭ帯の音声或いはＦＭ帯の音声を受信していた。
【０００７】
なお、この出願の発明に関連する先行技術文献情報としては、例えば、特許文献１が知られている。
【特許文献１】特開平１−３００７１７号公報
【発明の開示】
【発明が解決しようとする課題】
【０００８】
しかしながら、近年ラジオ放送においては、アナログ放送からデジタル放送への動きが活発になっている。例えば、米国においては、“ＸＭラジオ”および“シリウスラジオ”の衛星デジタル放送が開始され、更にＩＢＯＣ（イン・バンド・オン・チャンネル）方式の地上デジタル放送が２００３年に開始された。このＩＢＯＣ方式の放送は、既存のアナログ放送にデジタル放送の信号を乗せて同時に放送するハイブリッド方式であり、既存のインフラおよび放送のサービスエリアなどの変更を必要としない放送である。
【０００９】
このようなＩＢＯＣ方式の放送を受信するためには、アナログ放送の受信用チューナとデジタル放送の受信用チューナの２台の受信用チューナが必要であり、ＡＭ音声受信装置が大型サイズとなってしまうという問題があった。
【００１０】
そこで本発明は、この問題を解決したもので、アナログ放送とデジタル放送の双方を受信することができる小型化サイズとした音声受信用チューナを提供することを目的としたものである。
【課題を解決するための手段】
【００１１】
この目的を達成するために本発明の音声受信用チューナは、混合器と第１のＡＭ用フィルタの間には、前記混合器に接続されるとともに前記第１のＡＭ用フィルタの帯域幅を含む広い帯域幅を有する第２のＡＭ用フィルタと、この第２のＡＭ用フィルタの出力に接続された第１のＡＭ用増幅器を挿入し、前記第２のＡＭ用フィルタと前記第１のＡＭ用増幅器との接続点から第２のＡＭ用増幅器を介してＡＭ用デジタル出力端子に接続した構成としたものである。これにより、所期の目的を達成することができる。
【発明の効果】
【００１２】
以上のように本発明によれば、混合器と第１のＡＭ用フィルタの間には、前記混合器に接続されるとともに前記第１のＡＭ用フィルタの帯域幅を含む広い帯域幅を有する第２のＡＭ用フィルタと、この第２のＡＭ用フィルタの出力に接続された第１のＡＭ用増幅器を挿入し、前記第２のＡＭ用フィルタと前記第１のＡＭ用増幅器との接続点から第２のＡＭ用増幅器を介してＡＭ用デジタル出力端子に接続した構成としたものである。
【００１３】
この構成によって、アナログ放送とデジタル放送の受信において、入力端子から混合器までの回路を共用化することができるので、アナログ放送とデジタル放送を受信可能な小型化された音声受信用チューナが実現できる。
【００１４】
また、入力端子から混合器までの回路を共用化しているので、音声受信用チューナの低価格化を図ることができる。
【発明を実施するための最良の形態】
【００１５】
（実施の形態１）
以下、本発明の実施の形態１について、図面を用いて説明する。図１は、本発明の実施の形態１におけるＡＭ音声受信用チューナのブロック図である。図２は、ＩＢＯＣ方式のＡＭ放送信号図である。このＡＭ放送信号には、例えば５２２ＫＨｚから１７１０ＫＨｚのＡＭ帯が用いられている。
【００１６】
図１において、２１はＡＭ音声放送信号が入力されるＡＭ用アンテナである。このＡＭ用アンテナ２１で受信されたアナログ放送とデジタル放送の音声放送信号はＡＭ用入力端子２２に入力される。このＡＭ用入力端子２２には入力フィルタ２３が接続されており、この入力フィルタ２３の出力は高周波増幅器２４に接続されている。また、この高周波増幅器２４の出力は混合器２５の一方の入力に接続されると共に他方の入力にはＡＭ用発振器２６の出力が接続されている。
【００１７】
３３は、ＡＭ用データ入力端子であり、このＡＭ用データ入力端子３３にはＡＭ用ＰＬＬ回路３２が接続されている。そして、このＡＭ用ＰＬＬ回路３２の出力は、ＡＭ用発振器２６と、入力フィルタ２３に接続されており、ＡＭ用発振器２６の発振周波数と入力フィルタ２３の中心周波数を制御している。
【００１８】
また、混合器２５の出力は、第２のＡＭ用フィルタ３４の入力に接続されており、この第２のＡＭ用フィルタ３４の出力は第１のＡＭ用増幅器３５を介して第１のＡＭ用フィルタ２７に接続されている。この第１のＡＭ用フィルタ２７の出力はＡＭ用検波器２８の入力に接続されており、このＡＭ用検波器２８の出力はマルチプレックス３０を介してＡＭ用アナログ出力端子３１に接続されている。また、第２のＡＭ用フィルタ３４と第１のＡＭ用増幅器３５の接続点からは第２のＡＭ用増幅器３６を介してＡＭ用デジタル出力端子３７に接続されている。
【００１９】
また、ＡＭ用ＰＬＬ回路３２の出力は、第１のＡＭ用増幅器３５と第２のＡＭ用増幅器３６の電源制御に接続されており、ＡＭ用ＰＬＬ回路３２の出力で第１のＡＭ用増幅器３５と第２のＡＭ用増幅器３６の電源を選択的にオン・オフ制御している。
【００２０】
ここで重要なことは、第２のＡＭ用増幅器３６は、ＡＭ用デジタル出力端子３７に近接して配置することである。即ち、第２のＡＭ用フィルタ３４と第２のＡＭ用増幅器３６間の距離より、第２のＡＭ用増幅器３６とＡＭ用デジタル出力端子３７間の距離を短くすることが重要である。このことにより、第２のＡＭ用増幅器３６とＡＭ用デジタル出力端子３７間の配線を短くすることができるので、パターンインダクタンスを小さくすることができ、ＡＭ用デジタル出力端子３７から見たインピーダンスを小さくすることができる。また、このことにより、第２のＡＭ用増幅器３６の出力からＡＭ用デジタル出力端子３７間の配線長を短くすることができるので、第２のＡＭ用増幅器３６で増幅された大信号が他の回路へ輻射することを軽減することができる。
【００２１】
また、同様の理由で、第２のＡＭ用フィルタ３４と第１のＡＭ用増幅器３５間の距離より、第１のＡＭ用増幅器３５と第１のＡＭ用フィルタ２７間の距離を短くしておくことが重要である。３８は、ＡＭ音声受信用チューナが収納されている金属製のケースである。
【００２２】
図２において、４３はＡＭ帯のアナログ放送信号であり、略中央に位置している。４４ａから４４ｆはＡＭ帯のデジタル放送信号であり、ＱＡＭ，ＱＰＳＫ，ＢＰＳＫ変調が用いられている。また、４５はアナログ放送信号の帯域、４６はデジタル放送信号の帯域である。
【００２３】
４７はアナログ放送信号４３とデジタル放送信号４４ａから４４ｆとのレベル差を表している。この、ＡＭ帯のアナログ放送信号４３とＡＭ帯のデジタル放送信号４４ａから４４ｆは合成され同時に放送される。前記デジタル放送信号４４ａ〜４４ｆの帯域４６は、前記アナログ放送信号４３の帯域４５より約倍程度広く、また、レベル差４７は、３０ｄＢ程度に設定されている。なお、縦軸４１はレベルであり、横軸４２は周波数である。
【００２４】
以上のように構成されたＡＭ音声受信用チューナについて、図１および図２を用いてその動作を説明する。ＡＭ用データ入力端子３３から入力されたＰＬＬ制御データにより、アナログ放送受信あるいはデジタル放送受信の動作が制御される。即ち、アナログ放送受信時にはＡＭ用ＰＬＬ回路３２により、第１のＡＭ用増幅器３５がオンされ、第２のＡＭ用増幅器３６はオフされる。
【００２５】
従って、ＡＭ用アンテナ２１より入力されたアナログ放送信号とデジタル放送信号は、ＡＭ用入力端子２２、入力フィルタ２３、高周波増幅器２４を順に通り、混合器２５へ入力される。この時、ＡＭ用ＰＬＬ回路３２に接続された入力フィルタ２３およびＡＭ用発振器２６へは、ＡＭ用ＰＬＬ回路３２より所要の電圧が印加され、希望の周波数および希望の発振周波数に設定される。
【００２６】
そして、この混合器２５で変換された中間周波数の信号は、第２のＡＭ用フィルタ３４、第１のＡＭ用増幅器３５、第１のＡＭ用フィルタ２７の順に通る。この時、第１のＡＭ用フィルタ２７は、アナログ放送信号の帯域４５に対応してデジタル放送信号の帯域４６より約半分の狭帯域に設定されている。従って、デジタル放送信号の通過が抑制される。このことにより、入力フィルタ２３の選択度および、アナログ放送信号４３とデジタル放送信号４４ａから４４ｆのレベル差４７の存在により、デジタル放送信号４４ａから４４ｆが抑圧される。
【００２７】
このようにして、第１のＡＭ用フィルタ２７を通過した中間周波数の信号は、ＡＭ用検波器２８により検波されてマルチプレックス３０に入力される。そして、マルチプレックス３０によりステレオ復調されて、ＡＭ用アナログ出力端子３１から出力される。
【００２８】
また、デジタル放送受信時には、ＡＭ用ＰＬＬ回路３２により、第１のＡＭ用増幅器３５がオフされ、第２のＡＭ用増幅器３６はオンされる。従って、ＡＭ用アンテナ２１より入力されたアナログ放送信号とデジタル放送信号は、ＡＭ用入力端子２２、入力フィルタ２３、高周波増幅器２４を順に通る。そして、第２のＡＭ用フィルタ３４を通過したデジタル信号は、第２のＡＭ用増幅器３６を介してＡＭ用デジタル出力端子３７より出力される。
【００２９】
なお、ＡＭ用ＰＬＬ回路３２に接続された第１のＡＭ用増幅器３５および第２のＡＭ用増幅器３６には、アナログ放送受信時もしくはデジタル放送受信時の制御に合せて制御される。即ち、アナログ放送受信時には、第２のＡＭ用増幅器３６へ印加される電圧がオフとなり第２のＡＭ用増幅器３６が動作しないように設定されている。また、デジタル放送受信時には、第１のＡＭ用増幅器３５へ印加される電圧がオフとなり第１のＡＭ用増幅器３５が動作しないように設定されている。これによって、アナログ放送信号とデジタル放送信号との干渉を抑制することができる。
【００３０】
また、第２のＡＭ用フィルタ３４とＡＭ用デジタル出力端子３７との間に、第２のＡＭ用増幅器３６を設けることにより、ＡＭ用デジタル出力端子３７に接続される他の回路の影響による変動を抑制することができる。
【００３１】
以上説明したように、アナログ放送とデジタル放送の受信において、ＡＭ用入力端子２２から混合器２５までの回路を共用化することができるので、アナログ放送とデジタル放送を受信可能な小型化された音声受信用チューナが実現できる。
【００３２】
また、ＡＭ用入力端子２２から混合器２５までの回路を共用化しているので、音声受信用チューナの低価格化を図ることができる。
【００３３】
（実施の形態２）
図３は、実施の形態２におけるＦＭ帯の放送を受信するＦＭ音声受信用チューナのブロック図である。実施の形態２においても、ＡＭ帯とＦＭ帯が異なるのみで基本的には実施の形態１と同様の構成および同様の動作である。図４は、本実施の形態におけるＩＢＯＣ方式のＦＭ放送信号図である。このＦＭ放送信号には、例えば８７．５ＭＨｚから１０８ＭＨｚのＦＭ帯が用いられている。
【００３４】
図３において、５１はＦＭ音声放送信号が入力されるＦＭ用アンテナである。このＦＭ用アンテナ５１で受信されたアナログ放送とデジタル放送の音声放送信号はＦＭ用入力端子５２に入力される。このＦＭ用入力端子５２には入力フィルタ５３が接続されており、この入力フィルタ５３の出力は高周波増幅器５４に接続されている。また、この高周波増幅器５４の出力は段間フィルタ５５を介して混合器５６の一方の入力に接続されると共に他方の入力にはＦＭ用発振器５７の出力が接続されている。
【００３５】
６４は、ＦＭ用データ入力端子であり、このＦＭ用データ入力端子６４にはＦＭ用ＰＬＬ回路６３が接続されている。そして、このＦＭ用ＰＬＬ回路６３の出力は、ＦＭ用発振器５７と、段間フィルタ５５と、入力フィルタ５３に接続されており、ＦＭ用発振器５７の発振周波数と段間フィルタ５５及び入力フィルタ５３の中心周波数を制御している。
【００３６】
また、混合器５６の出力は、第２のＦＭ用フィルタ６５の入力に接続されており、この第２のＦＭ用フィルタ６５の出力は第１のＦＭ用増幅器６６を介して第１のＦＭ用フィルタ５８に接続されている。この第１のＦＭ用フィルタ５８の出力はＦＭ用検波器５９の入力に接続されており、このＦＭ用検波器５９の出力はマルチプレックス６１を介してＦＭ用オーディオ出力端子６２に接続されている。また、第２のＦＭ用フィルタ６５と第１のＦＭ用増幅器６６の接続点からは第２のＦＭ用増幅器６７を介してＦＭ用デジタル出力端子６８に接続されている。
【００３７】
また、ＦＭ用ＰＬＬ回路６３の出力は、第１のＦＭ用増幅器６６と第２のＦＭ用増幅器６７の夫々の電源制御に接続されており、ＦＭ用ＰＬＬ回路６３の出力で第１のＦＭ用増幅器６６と第２のＦＭ用増幅器６７の電源を選択的にオン・オフ制御している。
【００３８】
ここで重要なことは、実施の形態１と同様であって、第２のＦＭ用増幅器６７は、ＦＭ用デジタル出力端子６８に近接して配置することである。即ち、第２のＦＭ用フィルタ６５と第２のＦＭ用増幅器６７間の距離より、第２のＦＭ用増幅器６７とＦＭ用デジタル出力端子６８間の距離を短くすることが重要である。このことにより、第２のＦＭ用増幅器６７とＦＭ用デジタル出力端子６８間の配線を短くすることができるので、パターンインダクタンスを小さくすることができ、ＦＭ用デジタル出力端子６８から見たインピーダンスを小さくすることができる。また、このことにより、第２のＦＭ用増幅器６７の出力からＦＭ用デジタル出力端子６８間の配線長を短くすることができるので、第２のＦＭ用増幅器６７で増幅された大信号が他の回路へ輻射することを軽減することができる。
【００３９】
また、同様の理由で、第２のＦＭ用フィルタ６５と第１のＦＭ用増幅器６６間の距離より、第１のＦＭ用増幅器６６と第１のＦＭ用フィルタ５８間の距離を短くしておくことが重要である。６９は、ＦＭ音声受信用チューナが収納されている金属製のケースである。
【００４０】
図４において、７３はＦＭのアナログ放送信号であり、略中央に位置している。７４ａから７４ｄはＦＭ帯のデジタル放送信号であり、ＱＰＳＫ変調が用いられている。また、７５はアナログ放送信号の帯域、７６はデジタル放送信号の帯域である。７７はアナログ放送信号７３とデジタル放送信号７４ａから７４ｄとのレベル差を表している。
【００４１】
ＦＭのアナログ放送信号７３とＦＭのデジタル放送信号７４ａから７４ｄは合成され同時に放送されて、前記デジタル放送信号の帯域７６は、前記アナログ放送信号の帯域７５より約倍程度広く、また、レベル差７７は、２３ｄＢ程度に設定されている。なお、縦軸７１はレベルであり、横軸７２は周波数である。
【００４２】
以上のように構成されたＦＭ音声受信用チューナについて、図３および図４を用いてその動作を説明する。ＦＭ用データ入力端子６４より入力されたＰＬＬ制御データにより、アナログ放送受信あるいはデジタル放送受信の動作が制御される。即ち、アナログ放送受信時にはＦＭ用ＰＬＬ回路６３により、第１のＦＭ用増幅器６６がオンされ、第２のＦＭ用増幅器６７はオフされる。従って、ＦＭ用アンテナ５１より入力されたアナログ放送信号とデジタル放送信号が混合したＦＭ放送信号は、ＦＭ用入力端子５２、入力フィルタ５３、高周波増幅器５４、段間フィルタ５５を順に通り、混合器５６へ入力される。この時、ＦＭ用ＰＬＬ回路６３に接続された入力フィルタ５３、段間フィルタ５５およびＦＭ用発振器５７へは、ＦＭ用ＰＬＬ回路６３より所要の電圧が印加され、希望の周波数および希望の発振周波数に設定される。
【００４３】
そして、この混合器５６で変換された中間周波数の信号は、第２のＦＭ用フィルタ６５、第１のＦＭ用増幅器６６、第１のＦＭ用フィルタ５８の順に通る。この時、第１のＦＭ用フィルタ５８は、アナログ放送信号の帯域７５に対応してデジタル放送信号の帯域７６より約半分の狭帯域に設定されている。従って、デジタル放送信号の通過が抑制される。このことにより、入力フィルタ５３と段間フィルタ５５の選択度および、アナログ放送信号７３とデジタル放送信号７４ａから７４ｄのレベル差７７により、デジタル放送信号７４ａから７４ｄが抑圧される。
【００４４】
このようにして、第１のＦＭ用フィルタ５８を通過した中間周波数の信号は、ＦＭ用検波器５９により検波されてマルチプレックス６１に入力される。そして、マルチプレックス６１によりステレオ復調されて、ＦＭ用オーディオ出力端子６２から出力される。
【００４５】
また、デジタル放送受信時には、ＦＭ用入力端子５２、入力フィルタ５３、高周波増幅器５４、段間フィルタ５５を順に通る。そして、第２のＦＭ用フィルタ６５を通過したデジタル信号は、第２のＦＭ用増幅器６７を介してＦＭ用デジタル出力端子６８から出力される。なお、ＦＭ用ＰＬＬ回路６３に接続された第１のＦＭ用増幅器６６および第２のＦＭ用増幅器６７には、アナログ放送受信時もしくはデジタル放送受信時の制御に合せて制御される。
【００４６】
即ち、アナログ放送受信時には、第２のＦＭ用増幅器６７へ印加される電圧がオフとなり第２のＦＭ用増幅器６７が動作しないように設定されている。また、デジタル放送受信時には、第１のＦＭ用増幅器６６へ印加される電圧がオフとなり第１のＦＭ用増幅器６６が動作しないように設定されている。よって、アナログ放送信号とデジタル放送信号との干渉を抑制することができる。また、第２のＦＭ用フィルタ６５とＦＭ用デジタル出力端子６８との間に、第２のＦＭ用増幅器６７を設けることにより、ＦＭ用デジタル出力端子６８に接続される他の回路の影響による変動を抑制することができる。
【００４７】
以上説明したように、アナログ放送とデジタル放送の受信において、ＦＭ用入力端子５２から混合器５６までの回路を共用化することができるので、アナログ放送とデジタル放送を受信可能な小型化された音声受信用チューナが実現できる。
【００４８】
また、ＦＭ用入力端子５２から混合器５６までの回路を共用化しているので、音声受信用チューナの低価格化を図ることができる。
【００４９】
（実施の形態３）
以下、本発明の実施の形態３について、図面を用いて説明する。図５は、本発明の実施の形態３におけるＡＭ音声受信用チューナを用いた音声受信装置のブロック図である。実施の形態３では、実施の形態１で説明したＡＭ音声受信用チューナに対して、ＡＭ用デジタル出力端子にデジタル放送信号を処理する回路を追加した点が異なる。また、図５において破線内の回路については、実施の形態１と同様であるので同一番号を付してその説明を簡略化している。
【００５０】
なお、実施の形態２で述べたＦＭ音声受信用チューナを用いれば、ＦＭ音声受信用チューナを用いた音声受信装置が実現できる。本実施の形態では、ＦＭ音声受信用チューナを用いた音声受信装置についてもＡＭ音声受信用チューナを用いた音声受信装置で代表して説明することにする。
【００５１】
図５において、３７は実施の形態１で説明したＡＭ用デジタル出力端子である。ＡＭ音声受信用チューナを用いた音声受信装置は、ＡＭ用デジタル出力端子３７の出力が接続されたＡＤコンバータ２００と、このＡＤコンバータ２００の出力が接続されたデジタル信号処理回路２０１と、このデジタル信号処理回路２０１の出力が接続されたＤＡコンバータ２０２と、このＤＡコンバータ２０２の出力が接続されるマルチプレックス２０３と、このマルチプレックス２０３の出力が接続されるデジタルオーディオ出力端子２０４とから構成されている。
【００５２】
以上のように構成されたＡＭ音声受信用チューナを用いた音声受信装置について、図５を用いてその動作を説明する。ＡＭ用データ入力端子３３より入力されたＰＬＬ制御データにより、アナログ放送受信あるいはデジタル放送受信の動作が制御される。
【００５３】
これによって、ＡＭ用アンテナ２１より入力されたアナログ放送信号とデジタル放送信号が混合されたＡＭ放送信号は、アナログ放送受信時にはＡＭ用アナログ出力端子３１よりステレオ復調された信号が出力される。
【００５４】
また、デジタル放送受信時にはＡＭ用デジタル出力端子３７よりデジタル中間周波数信号が出力される。この中間周波数信号が、ＡＤコンバータ２００によって離散値であるデジタル量に変換され、デジタル信号処理回路２０１によって信号の変換および必要な情報の抽出が高速に処理され、ＤＡコンバータ２０２に入力される。そして、ＤＡコンバータ２０２によって人が聞こえるアナログ信号に復号化され、マルチプレックス２０３へ入力される。このマルチプレックス２０３によってステレオ復調され、デジタルオーディオ出力端子２０４から出力される。
【００５５】
この構成において、アナログ信号経路とデジタル信号経路を金属製のケース３８で高周波的に分離されているので、干渉を抑制する効果を有する。なお、このデジタル信号経路は同一のケース３８内に実装してその間をシールド板で高周波的に分離しても良い。
【００５６】
（実施の形態４）
以下、本発明の実施の形態４について、図面を用いて説明する。図６は、本発明の実施の形態４におけるＡＭ音声受信用チューナを用いた音声受信装置のブロック図である。
【００５７】
図６において、実施の形態３と異なるところはマルチプレックス３０と２０３を共用化して切替えスイッチ２１８で適宜切替えて用いることである。但し、機能の若干異なるものについては異なる番号を付している。即ち、マルチプレックス３０はマルチプレックス１２０とし、ＡＭ用アナログ出力端子３１はオーディオ出力端子１２１とし、ＡＭ用データ入力端子３３はデータ入力端子１２３とし、ＡＭ用ＰＬＬ回路３２はＰＬＬ回路１２２としている。
【００５８】
また、データ入力端子１２３からはＰＬＬ回路１２２に接続され、このＰＬＬ回路１２２からは切替えスイッチ２１８とＡＭ用発振器２６と第１のＡＭ用増幅器３５と第２のＡＭ用増幅器３６と入力フィルタ２３に接続されてその各々を制御している。その他については実施の形態３と同様であるので、同一番号を付して説明を簡略化する。
【００５９】
即ち、ＡＭ用検波器２８とマルチプレックス１２０との間に切替えスイッチ２１８を挿入したものである。そして、ＡＭ用検波器２８の出力を切替えスイッチ２１８の一方の入力端子１１９に接続し、ＤＡコンバータ２０２の出力は端子２１５を介してケース３８内に導入して切替えスイッチ２１８の他方の入力端子２１６に接続している。また、切替えスイッチ２１８の共通端子２１７がマルチプレックス１２０の入力に接続している。そして、このマルチプレックス１２０の出力はオーディオ出力端子１２１に接続されている。
【００６０】
以上のように構成されたＡＭ音声受信用チューナを用いた音声受信装置について、図６を用いてその動作を説明する。データ入力端子１２３より入力されたＰＬＬ制御データにより、アナログ放送受信あるいはデジタル放送受信の動作が制御される。これによって、ＡＭ用アンテナ２１より入力されたアナログ放送信号とデジタル放送信号が混合されたＡＭ放送信号は、アナログ放送受信時にはＰＬＬ回路１２２から制御データが切替えスイッチ２１８に入力され、切替えスイッチ２１８の一方の入力端子１１９と共通端子２１７が接続される。
【００６１】
このことにより、検波されたアナログ信号は、マルチプレックス１２０に入力される。さらに、マルチプレックス１２０によってステレオ復調された信号がオーディオ出力端子１２１より出力される。
【００６２】
また、デジタル放送受信時には同様にＰＬＬ回路１２２から制御データが切替えスイッチ２１８に入力され、切替えスイッチ２１８の他方の入力端子２１６と共通端子２１７が接続される。
【００６３】
このことにより、復号化された信号は、マルチプレックス１２０に入力される。さらに、マルチプレックス１２０によってステレオ復調された信号がオーディオ出力端子１２１より出力される。
【００６４】
また、この構成において、アナログ信号経路とデジタル信号経路をシールド板もしくは金属ケースを設けることで、干渉を抑制する効果がある。
【００６５】
なお、本実施の形態においては、ＡＭ帯を用いるＡＭ音声受信用チューナを用いた音声受信装置を代表例として説明したが、ＦＭ帯を用いるＦＭ音声受信用チューナを用いた音声受信装置についても同様である。さらに、ＡＭ音声受信用チューナとＦＭ音声受信用チューナとを一体構成した音声受信チューナを用いた音声受信装置についても同様である。
【産業上の利用可能性】
【００６６】
本発明にかかる音声受信用チューナは、アナログ放送とデジタル放送の双方を受信することができる小型化サイズの音声受信用チューナであり、ホームオーディオやカーオーディオ等に対して利用することができる。
【図面の簡単な説明】
【００６７】
【図１】本発明の実施の形態１におけるＡＭ音声受信用チューナのブロック図
【図２】同、ＡＭ音声受信用チューナのＡＭ放送信号図
【図３】同、実施の形態２におけるＦＭ音声受信用チューナのブロック図
【図４】同、ＦＭ音声受信用チューナのＦＭ放送信号図
【図５】本発明の実施の形態３における音声受信装置のブロック図
【図６】本発明の実施の形態４における音声受信装置のブロック図
【図７】従来のＡＭ音声受信用チューナのブロック図
【符号の説明】
【００６８】
２２  ＡＭ用入力端子
２３  入力フィルタ
２４  高周波増幅器
２５  混合器
２６  ＡＭ用発振器
２７  第１のＡＭ用フィルタ
２８  ＡＭ用検波器
３０  マルチプレックス
３１  ＡＭ用アナログ出力端子
３４  第２のＡＭ用フィルタ
３５  第１のＡＭ用増幅器
３６  第２のＡＭ用増幅器
３７  ＡＭ用デジタル出力端子
【図１】
2006074428.tif 000003
【図２】
2006074428.tif 000004
【図３】
2006074428.tif 000005
【図４】
2006074428.tif 000006
【図５】
2006074428.tif 000007
【図６】
2006074428.tif 000008
【図７】
2006074428.tif 000009